(57)【要約】【課題】  ダイレクトメールの作成・郵送にかかる費用を低減させ、ユーザの要望を反映させて成績データの照会が可能な成績データ管理システムを提供する。【解決手段】  成績データ管理装置と端末とが接続された成績データ管理システムにおける成績データ管理装置であって、受験者が解答した内容を示す受験者毎の解答データを記憶する解答データベースと、解答データベースに記憶された解答データに基づいて採点を行い、成績データを作成する成績データ作成部と、成績データ作成部によって作成された成績データを記憶する成績データベースと、端末から成績に関する解析要求を受信し、受信した解析要求に含まれる解析方法の指示に基づいて成績データベースに記憶された成績データの解析を行い、端末に解析結果を送信する成績データ解析部とを有する。【選択図】    図１
2005189361.tif 000002
【特許請求の範囲】
【請求項１】
成績データ管理装置と端末とが接続された成績データ管理システムにおける成績データ管理装置であって、
受験者が解答した内容を示す受験者毎の解答データを記憶する解答データベースと、
前記解答データベースに記憶された解答データに基づいて採点を行い、成績データを作成する成績データ作成部と、
前記成績データ作成部によって作成された成績データを記憶する成績データベースと、
前記端末から成績に関する解析要求を受信し、受信した解析要求に含まれる解析方法の指示に基づいて前記成績データベースに記憶された成績データの解析を行い、前記端末に解析結果を送信する成績データ解析部と
を有することを特徴とする成績データ管理システム。
【請求項２】
前記成績データ解析部は、前記端末からの解析要求に応じて、要求された対象期間における成績データの履歴を図形によって示すためのデータを生成することを特徴とする請求項１記載の成績データ管理システム。
【請求項３】
前記成績データ解析部は、集計する対象となる受験者の範囲を指定する受験者グループに基づいて、指定された受験者グループ内で成績データの集計を行うことを特徴とする請求項１または請求項２に記載の成績データ管理システム。
【請求項４】
受験者が解答した内容を示す受験者毎の解答データを記憶する解答データベースと、成績データを記憶する成績データベースとを有する成績データ管理装置と端末とが接続された成績データ管理システムにおける成績データ管理装置に用いられる成績データ管理方法であって、
前記解答データベースに記憶された解答データに基づいて採点を行い、成績データを作成して前記成績データベースに記憶し、
前記端末から成績に関する解析要求を受信し、受信した解析要求に含まれる解析方法の指示に基づいて前記成績データベースに記憶された成績データの解析を行い、前記端末に解析結果を送信する
ことを特徴とする成績データ管理方法。
【請求項５】
受験者が解答した内容を示す受験者毎の解答データを記憶する解答データベースと、成績データを記憶する成績データベースとを有する成績データ管理装置と端末とが接続された成績データ管理システムにおける成績データ管理装置に用いられる成績データ管理プログラムであって、
前記解答データベースに記憶された解答データに基づいて採点を行い、成績データを作成して前記成績データベースに記憶するステップと、
前記端末から成績に関する解析要求を受信し、受信した解析要求に含まれる解析方法の指示に基づいて前記成績データベースに記憶された成績データの解析を行い、前記端末に解析結果を送信するステップと
をコンピュータに実行させるための成績データ管理プログラム。
【発明の詳細な説明】
【技術分野】
【０００１】
本発明は、大学や高校の試験、あるいは資格試験等に適用して好適な、成績データ管理システム、成績データ管理方法、成績データ管理プログラムに関する。
【背景技術】
【０００２】
大学入試センター試験等の大規模な試験、高校や大学などの学校における定期試験等において、採点処理の迅速化の観点からマークシート式の解答用紙が用いられることが多い。マークシート式解答用紙には、あらかじめ決められた位置に選択式の記入欄が並んでおり、受験者は鉛筆等の筆記具でこれを塗り潰す。試験等の主催者は、その解答用紙にＯＣＲ（optical character reader）またはＯＭＲ（Optical Mark Reader）で光を照射し、その反射光によりどの欄が塗り潰されているかを読み取る。そして読み取られた解答データに基づいて、採点等を行い、この採点結果を通知するためのダイレクトメールを作成して受験者等に郵送していた。
【０００３】
一方、試験における成績データを端末を利用して参照するシステムが知られている（例えば、特許文献１参照）。
【特許文献１】特開２００２−３３４１８３号公報
【発明の開示】
【発明が解決しようとする課題】
【０００４】
上記した従来技術によれば、試験結果をダイレクトメールで郵送して通知していたので、ダイレクトメールの作成、郵送の費用が増大するとともに、作成時間がかかるという問題点がある。また、試験を何度かに分けて行う場合、その都度ダイレクトメールを作成して試験結果を通知する必要があり、さらに費用が増大してしまうという問題がある。
一方、特許文献１に開示された技術によれば、端末は、成績データを閲覧することができる。しかし、閲覧できるデータの項目は、データベースに記憶された項目に限られてしまう。従って、ユーザ（例えば、受験者）は、自分が閲覧したいデータであっても、データベースに記憶されていないデータについては閲覧できるものではないので、成績データがユーザに対して有効に活用されていない。
【０００５】
本発明は、上記諸々の事情に鑑みてなされたものであり、ダイレクトメールの作成・郵送にかかる費用を低減させ、ユーザの要望を考慮した成績データの照会が可能な成績データ管理システム、成績データ管理方法、成績データ管理プログラムを提供することを目的とする。
【課題を解決するための手段】
【０００６】
上述した課題を解決するために、本発明は、成績データ管理装置と端末とが接続された成績データ管理システムにおける成績データ管理装置であって、受験者が解答した内容を示す受験者毎の解答データを記憶する解答データベースと、前記解答データベースに記憶された解答データに基づいて採点を行い、成績データを作成する成績データ作成部と、前記成績データ作成部によって作成された成績データを記憶する成績データベースと、前記端末から成績に関する解析要求を受信し、受信した解析要求に含まれる解析方法の指示に基づいて前記成績データベースに記憶された成績データの解析を行い、前記端末に解析結果を送信する成績データ解析部とを有することを特徴とする。
【０００７】
また、上述した成績データ管理システムにおいて、前記成績データ解析部は、前記端末からの解析要求に応じて、要求された対象期間における成績データの履歴を図形によって示すためのデータを生成することを特徴とする。
また、上述した成績データ管理システムにおいて、前記成績データ解析部は、集計する対象となる受験者の範囲を指定する受験者グループに基づいて、指定された受験者グループ内で成績データの集計を行うことを特徴とする。
【０００８】
また、本発明は、受験者が解答した内容を示す受験者毎の解答データを記憶する解答データベースと、成績データを記憶する成績データベースとを有する成績データ管理装置と端末とが接続された成績データ管理システムにおける成績データ管理装置に用いられる成績データ管理方法であって、前記解答データベースに記憶された解答データに基づいて採点を行い、成績データを作成して前記成績データベースに記憶し、前記端末から成績に関する解析要求を受信し、受信した解析要求に含まれる解析方法の指示に基づいて前記成績データベースに記憶された成績データの解析を行い、前記端末に解析結果を送信することを特徴とする。
【０００９】
また、本発明は、受験者が解答した内容を示す受験者毎の解答データを記憶する解答データベースと、成績データを記憶する成績データベースとを有する成績データ管理装置と端末とが接続された成績データ管理システムにおける成績データ管理装置に用いられる成績データ管理プログラムであって、前記解答データベースに記憶された解答データに基づいて採点を行い、成績データを作成して前記成績データベースに記憶するステップと、前記端末から成績に関する解析要求を受信し、受信した解析要求に含まれる解析方法の指示に基づいて前記成績データベースに記憶された成績データの解析を行い、前記端末に解析結果を送信するステップとをコンピュータに実行させることを特徴とする。
【発明の効果】
【００１０】
以上説明したように、この発明によれば、端末から成績に関する解析要求を受信し、受信した解析要求に含まれる解析方法の指示に基づいて成績データベースに記憶された成績データの解析を行い、端末に解析結果を送信するようにしたので、ダイレクトメールの作成・郵送を行うことなく試験の結果を通知することができるので、ダイレクトメールの作成・郵送にかかる費用を削減することができる。また、ユーザの要望を考慮した成績データの解析結果を提供することができる。
【発明を実施するための最良の形態】
【００１１】
以下、本発明の一実施形態による成績データ管理システムを図面を参照して説明する。図１は、この発明の一実施形態による成績データ管理装置を適用した成績データ管理システムの構成を示す概略ブロック図である。
この図において、成績データ管理システムは、学生データ作成装置１０、解答データ作成装置２０、成績データ作成装置３０、成績データ管理装置４０、ネットワーク５０、成績照会端末６０によって構成される。
【００１２】
学生データ作成装置１０は、キーボード、マウスなどの入力デバイスを介して入力されるオペレータからの指示に基づいて学生データを作成し、成績データ作成装置３０に送信する。この学生データは、学生を特定するための情報であり、学生を識別する学籍番号、受験者の氏名、年度、学部コード、生年月日、試験を識別するテストコード、学年、クラスを識別するクラスコード等が含まれる。
解答データ作成装置２０は、マーク式の解答用紙をＯＣＲまたはＯＭＲによって読み取り、どの解答欄が塗りつぶされていたかを検出し、検出結果に基づいて、解答データを作成し、成績データ作成装置３０に送信する。ここでは、解答データは、解答用紙に記入された情報である、試験の受験者を特定する情報（例えば、学籍番号）と、試験を特定する情報（例えば、テストコード、年度）と、受験者が解答した内容を示す情報（各問に対する解答結果）とが含まれる。
【００１３】
成績データ作成装置３０において、受験者データベース３１は、受験者をグループ単位に分類する分類情報と受験者を識別する受験者識別情報とを対応付けて受験者データとして記憶する。ここでは、学生データ作成装置１０から送信される学生データが受験者データとして記憶され、学年、学部コード、年度、クラスコードが分類情報として記憶され、学籍番号、氏名、生年月日等が受験者識別情報として記憶される。図２は、受験者データベース３１に記憶された情報を画面上に表示した場合における一例を示す図である。ここでは、受験者データベース３１に記憶された受験者データのうち、学籍番号、受験者の氏名、年度、学部コード、生年月日、クラスコードが対応付けられて記憶されている。
【００１４】
解答データベース３２は、解答データ作成装置２０から送信される解答データを受信して、受験者毎の解答データとして記憶する。図３は、解答データベース３２に記憶される解答データが画面上に表示された一例を示す図面である。ここでは、年度、学籍番号、テストコード、解答結果とが対応付けられて記憶されている。正答データベース３３は、試験の正答を正答データとして記憶する。この正答データは、採点を行う前に予め記憶される。
【００１５】
成績データ作成部３４は、解答データベース３２に記憶された解答データと正答データベース３３に記憶された正答データとが一致しているか否かを１問毎に検出し、検出結果に基づいて採点を行い、採点結果に基づいて成績データを作成する。ここでは、学籍番号に基づいて、成績データと受験者データとが対応付けされた成績データが作成される。アップロード部３５は、成績データ作成部３４によって作成された成績データを成績データ管理装置４０にアップロードする。
【００１６】
成績データ管理装置４０は、インターネット、専用回線等の通信回線を介して成績データ作成装置３０に接続されているとともに、ネットワーク５０を介して成績照会端末６０に接続されている。この成績データ作成装置１０との接続は、ネットワーク５０を利用するようにしてもよい。成績データ管理装置４０において、成績データベース４１は、アップロード部３５からアップロードされた成績データを記憶する。ここでは、受験者が受験する毎に送信される成績データが履歴として順次記憶される。解析要求受信部４２は、ネットワーク５０を介して成績照会端末６０から送信される成績に関する解析要求を受信して成績データ解析部４３に出力する。解析要求については後述する。成績データ解析部４３は、成績照会端末６０から送信される解析要求を受信し、受信した解析要求に含まれる解析方法の指示に基づいて、成績データベース４１に記憶された成績データを解析する。この解析要求は、集計機能と分析機能のうち、いずれの機能を利用するかを指定する要求が含まれる。
【００１７】
ここで、集計機能は、集計する対象となる受験者の範囲を特定する受験者グループを指定して、その受験者グループ内における平均点や伸長率などについて算出する処理であり、この集計機能を指定する場合には、受験グループを指定する情報の他に、平均点、伸長率などの成績データの集計方法を指定する情報が含まれた解析要求を成績照会端末６０から受信する。ここで、受験者グループを指定する場合には、受験者データベース３１に記憶されたクラスコードや学部コードなどの分類情報の少なくともいずれか１つの項目や、テストコードが用いられる。
【００１８】
分析機能は、正答率の算出、要求された対象期間における成績データの履歴（推移）を図形によって示すためのデータを生成する処理である。分析機能を指定する場合には、正答率の算出、成績データの履歴作成などの分析方法を指定するための分析方法を指定する情報が含まれる解析要求を成績照会端末６０から受信する。なお、正答率の算出の場合は、受験者グループを指定して、その受験者グループ内での正答率を算出することが可能である。ここで、成績データの履歴示す場合の図形としては、例えば、棒グラフ、折れ線グラフなどのグラフが用いられる。対象期間としては、例えば、『○年○月○日から○年○月△日まで』のように、分析を行う対象となる期間が指定される。
送信部４４は、成績データ解析部４３によって解析された解析結果をネットワーク５０を介して成績照会端末６０に送信する。
【００１９】
ネットワーク５０は、インターネット、専用回線などのネットワークである。
成績照会端末６０は、学生などの受験者や、試験を担当する教員等のユーザからキーボードやマウス等の入力デバイスから入力される指示に応じた解析要求をネットワーク５０を介して成績データ管理装置４０に送信する。また、成績照会端末６０は、成績データ管理装置４０から送信された解析結果を画面上に表示する表示装置を有する。この表示装置には、ＣＲＴ（Cathode Rsy Tube）や液晶表示装置などが用いられる。なお、この成績照会端末６０は、携帯型コンピュータや、ネットワーク５０に接続可能な携帯電話等であってもよい。
【００２０】
なお、上述した受験者データベース３１、解答データベース３２、正答データベース３３、成績データベース４１は、ハードディスク装置や光磁気ディスク装置、フラッシュメモリ等の不揮発性のメモリや、ＣＲ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成される。
【００２１】
また、成績データ作成部３４、成績データ解析部４３は専用のハードウェアにより実現されるものであってもよく、また、成績データ作成部３４、成績データ解析部４３はメモリおよびＣＰＵ（中央演算装置）により構成され、成績データ作成部３４、成績データ解析部４３の機能を実現するためのプログラムをメモリにロードして実行することによりその機能を実現させるものであってもよい。
【００２２】
次に、上述した構成における成績データ管理システム１の動作について図４を用いて説明する。図４は、成績データ管理システム１の動作について説明するための図面である。まず、学生データ作成装置１０は、学生データを作成して成績データ作成装置３０に送信する（ステップＳ１）。解答データ作成装置２０は、試験が行われた後に回収された解答用紙の読み取りを行い、解答データを作成し（ステップＳ２）、成績データ作成装置３０に送信する（ステップＳ４）。
【００２３】
成績データ作成装置３０は、学生データ作成装置１０から送信された学生データを受験者データベース３１に記憶し、解答データ作成装置２０から送信された解答データを解答データベース３２に記憶する。そして、成績データ作成装置３０は、成績データ作成部３４によって、正答データベース３３に記憶された正答データと解答データベース３２に記憶された解答データとを参照して採点を行って採点データを作成し（ステップＳ４）、作成した採点データに受験者データを対応付けて成績データを生成し、アップロード部３５によって成績データ管理装置４０に送信する（ステップＳ５）。成績データ管理装置４０は、成績データ作成装置３０からアップロードされた成績データを受信して成績データベース４１に記憶する（ステップＳ６）。
【００２４】
一方、成績照会端末６０は、受験者または教員によって入力デバイスを介して入力されるＩＤ、パスワードを成績データ管理装置４０に送信して認証してもらい、認証が成立した後に、入力デバイスを介して入力される解析要求を成績データ管理装置４０に送信する（ステップＳ７）。
【００２５】
成績データ管理装置４０は、解析要求を受信すると、成績データベース４１を参照し、要求された解析要求に含まれる指示応じた解析を成績データ解析部４３によって行い（ステップＳ８）、解析結果を成績照会端末６０に送信する（ステップＳ９）。成績照会端末６０は、成績データ管理装置４０から送信された解析結果を受信して、表示装置に表示する（ステップＳ１０）。図５は、この表示装置に表示される解析結果の一例を示す図面である。ここでは、実施された試験の最高得点、最低得点、受験者グループとして指定されたクラスコードに該当するクラス内における平均点、学部内における平均点などが集計機能による解析結果として表示される。
【００２６】
以上説明した実施形態によれば、複数のサーバ等を設けることなく、簡単な構成で実現することができる。また、成績データのみを記憶しておき、成績照会端末６０からの解析要求に応じた解析を行うので、種々の解析を事前に行って解析結果をデータベースに記憶しておく必要がなくなるので、データベースの領域を削減し、解析処理を効率よく行うことができる。また、ユーザが所望する解析方法を考慮した解析結果をユーザに提供することができる。
【００２７】
なお、以上説明した実施形態において、解析要求をするユーザに応じて異なる解析を行うようにしてもよい。例えば、受験者からの要求に対しては、個人別総合成績表、クラス総合成績表などを作成する解析を行い、教員に対しては、クラス別個人別総合成績表、教員別総合成績表、クラス別総合成績表を作成する解析を行い、解析結果を解析要求された成績照会端末６０に送信するようにしてもよい。この受験者、教員を識別するためには、例えば、認証時に用いられるＩＤ等を用いることが可能である。
【００２８】
また、上記実施形態において、成績データ作成装置３０と成績データ管理装置４０とは、別の装置である場合について説明したが、同１つの装置で実現するようにしてもよい。また、受験者データは、成績データに含めて成績データベース４１に記憶するようにしたが、受験者データを成績データに含めずに記憶しておき、必要に応じて受験者データベース３１を参照して受験者データを取得するようにしてもよい。
【００２９】
また、上述した実施形態において、集計機能による解析結果が表示された場合について説明したが、分析機能を指定して解析が行われた場合には、成績データの履歴がグラフによって成績照会端末６０の表示装置に表示される。
【００３０】
また、図１における成績データ作成部３４、アップロード部３５、成績データ解析部４３、解析要求受信部４２、送信部４４の機能を実現するためのプログラムをコンピュータ読み取り可能な記録媒体に記録して、この記録媒体に記録されたプログラムをコンピュータシステムに読み込ませ、実行することにより成績データの管理を行ってもよい。なお、ここでいう「コンピュータシステム」とは、ＯＳや周辺機器等のハードウェアを含むものとする。
【００３１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３２】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００３３】
【図１】この発明の一実施形態による成績データ管理装置を適用した成績データ管理システムの構成を示す概略ブロック図である。
【図２】受験者データベース３１に記憶された情報の一例を示す図である。
【図３】解答データベース３２に記憶された情報の一例を示す図面である。
【図４】成績データ管理システム１の動作について説明するための図面である。
【図５】この表示装置に表示される解析結果の一例を示す図面である。
【符号の説明】
【００３４】
１  成績データ管理システム          １０  学生データ作成装置
２０  解答データ作成装置            ３０  成績データ作成装置
３１  受験者データベース            ３２  解答データベース
３３  正答データベース              ３４  成績データ作成部
３５  アップロード部                ４０  成績データ管理装置
４１  成績データベース              ４２  解析要求受信部
４３  成績データ解析部              ４４  送信部
６０  成績照会端末
【図１】
2005189361.tif 000003
【図２】
2005189361.tif 000004
【図３】
2005189361.tif 000005
【図４】
2005189361.tif 000006
【図５】
2005189361.tif 000007